(57)【特許請求の範囲】
【請求項１】
線画データを含むセキュリティ印刷データを、通信回線を介して配信するセキュリティ印刷データ配信サーバと、該セキュリティ印刷データ配信サーバに通信回線を介して接続されたセキュリティ印刷物発行端末装置とから構成されるセキュリティ印刷物配信システムであって、
前記セキュリティ印刷データ配信サーバは、複数種類の線画データを記憶する線画データ記憶部と前記セキュリティ印刷物の種類に応じたフォームデータを記憶するフォームデータ記憶部を少なくとも備え、
前記線画データ記憶部は、前記セキュリティ印刷物を構成する万線パターンから成る複数種類の線画データとして地紋、模様、文字及び番号から成る群の少なくとも前記地紋を含む１以上含む線画データを記憶する印刷物構成用線画データ記憶部を備え、
前記印刷物構成用線画データ記憶部及び前記フォームデータ記憶部の中から、前記セキュリティ印刷物発行端末装置により利用者が前記セキュリティ印刷物に構する全ての要素を選択するためのメニュー画面をユーザー端末に表示するメニュー表示部を備え、
前記メニュー表示部より前記利用者が選択した要素が付与されたセキュリティ印刷データが、前記利用者のセキュリティ印刷物発行端末装置に配信され、該セキュリティ印刷物発行端末装置でセキュリティ印刷物を発行可能とすることを特徴とするセキュリティ印刷物配信システム。
【請求項２】
前記線画データ記憶部は、印刷物構成用線画データ記憶部と画像用線画データ記憶部とから成り、
前記画像用線画データ記憶部は、線画データとして前記セキュリティ印刷データ配信サーバに登録された個人の顔画像を記憶しており、
前記印刷物構成用線画データと前記画像用線画データは、合成されて前記セキュリティ印刷物発行端末装置に送信されることを特徴とする請求項１記載のセキュリティ印刷物配信システム。
【請求項３】
前記セキュリティ印刷データ配信サーバは、画像情報登録部と、写真・線画変換部と、画像用線画データ記憶部と、発行配信部と、印刷用線画データ記憶部と、データ合成部と、入出力部とを有し、前記画像情報登録部は、セキュリティ印刷物発行端末装置から送信されてきた写真データを受信して、写真・線画変換部で画像用線画データに変換させ、これを前記画像用線画データ記憶部に記憶させ、前記発行配信部は、セキュリティ印刷物発行端末装置から送信されてきた利用者の選択データ受信し、該選択データに基づいて印刷用線画データ記憶部及び画像用線画データ記憶部から印刷用線画データ及び画像用線画データを夫々抽出し、両線画データを前記データ合成部で合成して前記セキュリティ印刷データを作成し、該セキュリティ印刷データを、前記利用者のセキュリティ印刷物発行端末装置に配信し、前記セキュリティ印刷物発行端末装置は、セキュリティ印刷データに基づいて、セキュリティ印刷物を発行可能とすることを特徴とする請求項１又は２記載のセキュリティ印刷物配信システム。
【請求項４】
前記セキュリティ印刷データ配信サーバは、料金データ記憶部を有しており、前記料金データ記憶部は、前記使用者から選択されるデータ毎に料金データを記憶しており、前記発行配信部は、前記セキュリティ印刷物発行端末装置で選択された選択データ及び前記料金データに基づいてセキュリティ印刷データを作成し配信するための料金計算をして、その結果を前記セキュリティ印刷物発行端末装置配信する料金請求機能を有することを特徴とする請求項１乃至３のいずれか１項記載のセキュリティ印刷物配信システム。
【発明の詳細な説明】
【０００１】
【発明の属する技術分野】
本発明は、偽造防止技術を有し、セキュリティ機能を付与された印刷物をインターネット等の通信回線を介して配信するセキュリティ印刷物配信システムに関し、特に、各種の有価証券、証書、会員権、身分証明書、会員証、通行証、入場券等を作成し配信できるセキュリティ印刷物配信システムに関する。
【０００２】
【従来の技術】
従来のセキュリティ機能（偽造、変造防止機能）を有する印刷物では、例えば、地紋が付与された面に模様、文字、番号等が付与され、さらに必要に応じて写真画像を印刷又は貼り付けられて構成されるが、これらで使用される印刷は、通常、ＹＭＣＫの網点、ドッドで表現されている。
【０００３】
【発明が解決しようとする課題】
セキュリティ機能を有する各種の印刷物は、セキュリティ機能を付与することできわめてコストが高くなり、発行部数が少ない場合は、経済的に引き合わず、小規模の各種事業者（企業、店舗、）、自治体、各種の会員組織等の小口に利用者では発行することが困難である。
【０００４】
又、従来の印刷物では、利用者の利用目的に応じて、フォームを決め、地紋や模様を決め、さらに写真画像を印刷したり貼り付けたりしなくてはならず、一つのセキュリティ印刷物を作成するためにもかなりの手間が必要であった。
【０００５】
さらに、近年のパソコンやプリンター等の技術の向上により、地紋、模様、写真画像等は比較的容易に偽造、変造を行いすくなっており、又真正な所有者の写真を剥がして悪用者の写真を貼り付けて変造するようなこともでき、セキュリティ性では必ずしも十分でない点が多々ある。
【０００６】
本発明は、これらの従来の問題点を解決することを目的とするものであり、
（１）インターネット等の通信回線を利用することにより、きわめて高度な偽造防止技術を有するセキュリティ性に富んだ各種の印刷物を、きわめて簡便かつ低コストで提供できるようにすることにより、小口の利用者でもこのようなセキュリティ性に富んだ各種の印刷物を利用することができる。
【０００７】
（２）地紋、模様、文字、画像等を、比較的偽造の容易な通常の網点やドットによる表現ではなく、万線を基本とする線画印刷により偽造しにくい印刷物を提供する。そして、複数種類の地紋や模様等について予め異なる色を着色したものをデータベース化しておくことにより、年、月等期間毎に、地紋や模様を自動的に変えて提供することにより、セキュリティ印刷物を提供できるようにする。
【０００８】
（３）予めデータベース化した複数種類の地紋、模様、文字、番号等から、利用者がその利用目的や好みに応じて適宜選択して所望の地紋を付した所望のフォーム、デザインのセキュリティ印刷物を、簡単に作成できるようにする。これにより、利用者は独自性を有する各種のセキュリティ印刷物を発行することができる。
【０００９】
（４）利用者が、地紋、模様、文字、番号、画像データ、さらには色要素等適宜選択する場合、選択し付加したセキュリティ要素毎に料金計算をするシステムを採用すれば、サーバ側としてはセキュリティ要素についての付加価値を高め、しかも料金を利用者から合理的に徴収可能であり、料金の透明性が担保でき利用者にも利用し易くする。
【００１０】
【課題を解決するための手段】
本発明は上記課題を解決するために、線画データを含むセキュリティ印刷データを、通信回線を介して配信するセキュリティ印刷データ配信サーバと、該セキュリティ印刷データ配信サーバに通信回線を介して接続されたセキュリティ印刷物発行端末装置とから構成されるセキュリティ印刷物配信システムであって、上記セキュリティ印刷データ配信サーバは、複数種類の線画データを記憶する線画データ記憶部を備えており、上記複数種類の線画データの中から、セキュリティ印刷物発行端末装置で利用者により選択された線画データが付与されたセキュリティ印刷データが、上記利用者のセキュリティ印刷物発行端末装置に配信され、該セキュリティ印刷物発行端末装置でセキュリティ印刷物を発行可能とすることを特徴とするセキュリティ印刷物配信システムを提供する。
【００１１】
上記線画データ記憶部は、印刷物構成用線画データ記憶部から成り、上記印刷物構成用線画データ記憶部は、線画データとして地紋、模様、文字及び番号から成る群の少なくと地紋を含む１以上を含むことを特徴とする。
【００１２】
上記線画データ記憶部は、印刷物構成用線画データ記憶部と画像用線画データ記憶部とから成り、上記印刷物構成用線画データ記憶部は、線画データとして地紋、模様、文字及び番号から成る群の少なくと地紋を含む１以上を記憶しており、上記画像用線画データ記憶部は、線画データとして上記セキュリティ印刷データ配信サーバに登録された個人の顔画像を記憶しており、上記印刷物構成用線画データと上記画像用線画データは、合成されて上記セキュリティ印刷物発行端末装置に送信されることを特徴とする。
【００１３】
本発明は上記課題を解決するために、線画データを含むセキュリティ印刷データを、通信回線を介して配信するセキュリティ印刷データ配信サーバと、該セキュリティ印刷データ配信サーバに通信回線を介して接続されたセキュリティ印刷物発行端末装置とから構成されるセキュリティ印刷物配信システムであって、上記セキュリティ印刷データ配信サーバは、画像情報登録部と、写真・線画変換部と、画像用線画データ記憶部と、発行配信部と、印刷用線画データ記憶部と、データ合成部と、入出力部とを有し、上記画像情報登録部は、セキュリティ印刷物発行端末装置から送信されてきた写真データを受信して、写真・線画変換部で画像用線画データに変換させ、これを上記画像用線画データ記憶部に記憶させ、上記発行配信部は、セキュリティ印刷物発行端末装置から送信されてきた利用者の選択データ受信し、該選択データに基づいて印刷用線画データ記憶部及び画像用線画データ記憶部から印刷用線画データ及び画像用線画データを夫々抽出し、両線画データを上記データ合成部で合成して上記セキュリティ印刷データを作成し、該セキュリティ印刷データを、上記利用者のセキュリティ印刷物発行端末装置に配信し、上記セキュリティ印刷物発行端末装置は、セキュリティ印刷データに基づいて、セキュリティ印刷物を発行可能とすることを特徴とするセキュリティ印刷物配信システムを提供する。
【００１４】
上記印刷物構成用線画データ記憶部は、線画データとして地紋、模様、文字及び番号から成る群の少なくと地紋を含む１以上を含むことを特徴とする。
【００１５】
上記セキュリティ印刷データ配信サーバは、フォームデータ記憶部を備えており、上記フォームデータ記憶部は、セキュリティ印刷物の種類に応じたフォームデータを記憶しており、上記発行配信部は、上記セキュリティ印刷物発行端末装置で選択された選択データに基づいて上記フォームデータ記憶部から選択されたフォームを抽出し、上記データ合成部において該フォーム内で、印刷用線画データと画像用線画データの合成を行いセキュリティ印刷データを作成することを特徴とする。
【００１６】
上記セキュリティ印刷データ配信サーバは、料金データ記憶部を有しており、該料金データ記憶部は、複数種類の線画データ毎に料金データを記憶しており、上記発行配信部は、上記セキュリティ印刷物発行端末装置で選択された選択データ及び上記料金データに基づいてセキュリティ印刷データを作成し配信するための料金計算をして、その結果を上記セキュリティ印刷物発行端末装置配信する料金請求機能を有することを特徴とする。
【００１７】
【発明の実施の形態】
本発明に係るセキュリティ印刷物配信システムの実施の形態を、実施例に基づいて図面を参照して以下説明する。
【００１８】
（実施例１）
図１は、本発明に係るセキュリティ印刷物配信システムの実施例１の全体構成を説明する図である。このシステムは、セキュリティ印刷物配信サーバ１（以下、単に「配信サーバ」という。）に、インターネット等の通信回線２を介して、セキュリティ印刷物発行端末装置３（以下、単に「発行端末装置」という。）が複数接続されて構成される。
【００１９】
発行端末装置３は、その基本構成は通常のパソコン端末でよいが、所要のセキュリティ印刷物、例えば、各種の有価証券、証書、会員権、身分証明書、会員証、通行証、入場券等を発行できるように、これらのセキュリティ印刷物の基材の材質、例えば紙、プラスチック等に応じた形態のプリンタを備えている。
【００２０】
このような発行端末装置３は、ユーザである企業、自治体、コンビニ等の店舗等に設置されて利用される。企業や自治体に設置された場合は、このシステムを利用して企業の顧客である個人についての会員証等、あるいは自治体の地域振興券等のセキュリティ印刷物を発行する。
【００２１】
又、コンビニ等店舗に設置された場合は、その店舗自信が、企業同様にその顧客へ各種カードを発行する等の利用ができるだけでなく、発行端末装置３に利用料金を徴収するための現金投入制御装置（自動販売機の現金投入制御装置と同じ。）を付設すれば、一般の利用者が有料で自由に利用できる。例えば、一般の利用者が、その主催する会のメンバーの会員権等を発行することができる。
【００２２】
発行端末装置３は、キーボード、スキャナー等の通常の入力装置を適宜備えているとともに、顔写真撮影用のデジタルカメラを備えている。これらの入力装置を適宜利用して、発行端末装置３の利用者は、証明写真（顔写真）に係る画像情報を入力することができる。例えば、写真をスキャナーで読み取るか、デジタルカメラで直接撮影することで発行端末装置３に入力することができる。
【００２３】
このように入力された画像情報は、発行端末装置３の利用者（企業、自治体、会の主宰者等）のＩＤ番号及び個人（企業や自治体の顧客や会員、会のメンバー等、証明写真の本人）のＩＤ番号とともに、発行端末装置３から、通信回線２を介して配信サーバ１に送信することができる。
【００２４】
配信サーバ１は、入出力部４（入出力インターフェース）、画像情報登録部５、写真・線画変換部６、画像用線画データ記憶部７、発行配信部８、メニュー記憶部９、フォームデータ記憶部１０、印刷物構成用線画データ記憶部１１及びデータ合成部１２を備えている。
【００２５】
入出力部４は、発行端末装置３とのデータ信号のやりとりを行う装置である。画像情報登録部５は、発行端末装置３から送信されてくる写真の画像情報を画像用線画データに変換して、画像用線画データ記憶部７に記憶させてデータベースとして登録するまでの、一連の制御を行う装置である。
【００２６】
具体的には、画像情報登録部５は、発行端末装置３から送信されてくる証明写真の画像情報を、写真・線画変換部６に送り、そこで画像用線画データに変換する。このように写真画像を線画データに変換する技術自体は公知であり、写真画像に示される輪郭や濃度に応じて線画の基本となる万線の太さを部分的にコントロールして線画を形成するものである。このようにして変換された線画データは、画像用線画データ記憶部７に送られて、利用者ＩＤ番号及び個人ＩＤ番号とともに記憶され、画像用線画データベースが構築される。
【００２７】
メニュー記憶部９には、セキュリティ印刷物の種類に対応する各種の書誌フォーム、線画データ化された地紋、模様、文字、番号等を一覧し選択できるようにするとともに、画像用線画データ付与の要否を選択できるようなメニュー選択データが記憶されている。
【００２８】
フォームデータ記憶部１０には、セキュリティ印刷物の各種の書誌フォームが記憶されており、フォームデータベースが構築されている。書誌フォームとしては、各種の有価証券、証書、会員権、身分証明書、会員証、通行証、入場券等がある。
【００２９】
印刷物構成用線画データ１１記憶部には、線画で構成された複数種類の、地紋、模様、文字、番号等が記憶されており線画データベースが構築されている。図２は、線画で形成された地紋の一例を示す図である。この地紋１３は、太い曲線１４及び細い曲線１５、さらに曲線１４から曲線１５の間のいくつかの太さの曲線が、夫々適宜の形状で描かれて組み合わされて、全体として所要のデザインから成る模様が形成されている。このような地紋は、いろいろな太さの曲線から構成された複雑な構造であるから、偽造しにくい。
【００３０】
地紋については、線画から成る地紋▲１▼、地紋▲２▼、地紋▲３▼・・・等の複数種類の地紋（特に図示せず）について、複数種の地紋毎に複数の色の地紋が線画データとして記憶されている。即ち、緑色の地紋▲１▼、黄色の地紋▲１▼、青の地紋▲１▼、緑色の地紋▲２▼、黄色の地紋▲２▼、青の地紋▲２▼、緑色の地紋▲３▼、黄色の地紋▲３▼、青の地紋▲３▼等が記憶されている。
【００３１】
このように地紋の色についていろいろな色メニューを用意しておくことで、例えば、年、月等の期間が代わる毎に自動的に提供する地紋の色を自動的に変えることができる。あるいは、利用者が選択する好みの色の地紋を提供することもできる。
【００３２】
発行配信部８は、発行端末装置３により利用者からのセキュリティ印刷物の発行手続申込信号を受信すると、メニュー記憶部９に記憶されたセキュリティ印刷物のメニューを発行端末装置３に送信し、付設の表示部にメニューを表示する。
【００３３】
利用者は、表示部に表示されたメニューから、書誌フォーム、所望の印刷物構成用線画データ１１、その色等を選択するとともに、画像用線画データの要否を選択する。そして、利用者は、発行端末装置３によって、これらのメニュー選択データと、利用者及び新メンバーの氏名、住所等書誌事項と、利用者ＩＤ番号及び個人ＩＤ番号を、発行手続データとして配信サーバ１に送信する。
【００３４】
発行配信部８は、発行手続データを受信すると次の一連の動作を制御する。即ち、発行手続データを受信すると、そのデータ中のメニュー選択データに応じて、フォームデータ記憶部１０、印刷物構成用線画データ記憶部１１及び画像用印刷物構成用線画データ記憶部１１から所望のデータを抽出し、データ合成部１２で書誌フォーム上に、印刷物構成用線画データ及び画像用データを合成させて、利用者が選択し組み合わせた内容のセキュリティ印刷データを形成し、これを入出力部４から利用者に配信する。
【００３５】
ここで、データ合成部１２における合成についてさらに説明すると、利用者が選択し、フォームデータ記憶部１０から抽出されたフォーム上に、
（１）利用者が選択し印刷物構成用線画データ記憶部１１から抽出された線画データから成る地紋
（２）利用者が発行端末装置３でフォーム上に記入した模様、文字、番号に基づいて、印刷物構成用線画データ記憶部１１から抽出された線画データから成る模様、文字、番号
（３）画像用線画データ記憶部７に記憶されている画線用線画データ
が、合成され、セキュリティ印刷データが形成される。
【００３６】
なお、本発明は、線画データとして複数種類の地紋から所望の地紋を選択して線画データの地紋をセキュリティ印刷データに含めることを特徴としているから、本発明の線画データは、地紋、模様、文字及び番号から成る群の少なくと地紋を含む１以上を含む必要がある。
【００３７】
このようにして形成されたセキュリティ印刷データは、発行配信部８により、入出力部４を通して、通信回線２を介して利用者に配信される。配信されたセキュリティ印刷データに基づいて、発行端末装置３付設のプリンタにより所定の紙やプラスティック製のカードに印刷することにより、セキュリティ印刷物が発行される。
【００３８】
（作用）
本発明に係るセキュリティ印刷物配信システムの作用を以下説明する。例として、本発明に係る発行端末装置３がコンビニに設置してあり、一般の利用者甲が、その主催する会の新メンバー乙の写真付き会員証を、発行端末装置３を利用して作成する場合を説明する。この場合、新メンバー乙は、利用者甲へ自分の証明写真（顔写真）を添えた申込書を提出しており、利用者甲は、この申込書に基づいて会員証を発行するものとする。
【００３９】
（イ）利用者甲は、発行端末装置３に付設されているスキャナで新メンバー乙の証明写真を読み取りデジタル画像として発行端末装置３に入力する。なお、このようにスキャナを利用せず、利用者甲が、コンビニで新メンバー乙を発行端末装置３付設のデジタルカメラで撮影して発行端末装置３に入力してもよい。
【００４０】
又は新メンバー乙が、都合のよい近くのコンビニで発行端末装置３に付設されたデジタルカメラで自分の顔写真を撮影してその画像情報を発行端末装置３に入力し、次に示す配信サーバ１への送信を行ってもよい。あるいは、新メンバー乙のデジタル映像を記憶したＰＣカード等の媒体によって発行端末装置３に入力してもよい。
【００４１】
（ロ）利用者甲は、発行端末装置３に入力した新メンバー乙に係る画像情報を、利用者甲のＩＤ番号と新メンバー乙のＩＤ番号とともに配信サーバ１に送信する。このＩＤ番号付き画像情報は、配信サーバ１の入出力部４を通して画像情報登録部５に入力される。画像情報登録部５は、この画像情報を写真・線画変換部６に送り、画像情報である顔写真を線画データに変換する。このようにして変換された画像用線画データは、画像用線画データ記憶部７に送られて、利用者甲及び新メンバーのＩＤ番号とともに記憶され、画像用線画データベースが構築される。
【００４２】
（ハ）このようにしてＩＤ番号付き画像用線画データを記憶後、利用者甲は。発行端末装置３を利用して発行手続を行う。具体的には、発行端末装置３の表示部に表示されている発行手続申し込み操作に従って発行手続申し込みを行うと、発行手続申込信号が配信サーバ１に送られる。これを受信した配信サーバ１の発行配信部８は、メニュー記憶部９から書誌フォーム、地紋、模様、文字、画像要否等の選択メニュー画面を、発行端末装置３に送信して、その表示部に表示する。
【００４３】
（二）利用者甲は、発行端末装置３の表示部に表示された選択メニュー画面から、書誌フォームとして会員証を選択すると共に、地紋や必要に応じて模様、文字、番号の種類や色等を選択するとともに、画像要否（証明書写真入り）を選択する。さらに利用者甲は、選択して表示された会員証フォームに新メンバーの氏名や住所等所定の書誌事項を記入の上、この書誌データ、地紋等の選択データを利用者及び新メンバーのＩＤ番号とともに発行手続データとして配信サーバ１に送信する。
【００４４】
（ホ）この発行手続データは、配信サーバ１の入出力部４から発行配信部８に入力される。発行配信部８は、発行手続データ中のフォーム選択データに基づいてフォームデータ記憶部１０から会員証のフォームデータを抽出し、このフォームデータを合成部１２に出力する。
【００４５】
（へ）そして、発行配信部８は、発行手続データ中の地紋、模様、文字、番号の種類や色等の選択データに基づいて、印刷物構成用線画データ記憶部１１から該当する印刷用線画データを抽出し、データ合成部１２に出力する。さらに、発行配信部８は、発行手続データ中の画像付与選択データ及び利用者及び新メンバーのＩＤ番号に基づいて、画像用線画データ記憶部７から該当する画像変換用線画データを抽出し、データ合成部１２に出力する。
【００４６】
（ト）データ合成部１２は、フォームデータ（会員証の書誌データ）上で、印刷用線画データ及び画像変換用線画データを合成してセキュリティ印刷データを作成する。発行配信部８は、このセキュリティ印刷データを入出力部４を介して利用者甲の発行端末装置３に送信する。利用者甲は、このセキュリティ印刷データに基づいて、発行端末装置３のプリンタによりメンバー乙の顔写真入り会員証を作成し発行することができる。
【００４７】
（実施例２）
図３は、本発明に係るセキュリティ印刷物発行システムに係る実施例２を説明する図である。この実施例２は、実施例１とほぼ同じであるが、配信サーバ１に、発行配信部８と接続された料金記憶部１６を設け、発行配信部８が料金計算を行い発行端末装置３に料金の請求を行う料金請求機能を備えた構成を特徴とする。
【００４８】
この料金記憶部１６には、各種の地紋、模様、文字、番号、画像用線画データ、さらには色要素等、利用者が発行端末装置３で選択する線画データや色要素のメニュー毎に、選択し付加した場合の料金データが記憶されている。
【００４９】
そして、発行配信部８は、発行端末装置３で選択された発行手続データ及び料金記憶部１６の料金データに基づいて料金計算及び請求をする機能を備えている。これにより、利用者が発行端末装置３で選択した線画データ（地紋、模様、文字、番号、画像データ、さらには色要素）の種類、内容に応じた合計料金が計算され、発行端末装置３にその料金データを送信して請求することができる。この結果、セキュリティ印刷物を作成し配信に要する料金を利用者から合理的に徴収することができる。
【００５０】
以上、本発明に係るセキュリティ印刷物配信システムの実施の形態を実施例に基づいて説明したが、本発明は特にこのような実施例に限定されることなく、特許請求の範囲記載の技術的事項の範囲内でいろいろな実施例があることはいうまでもない。
【００５１】
【発明の効果】
以上の構成から成る、本発明に係るセキュリティ印刷物配信システムによれば次のような効果が生じる。
（１）線画データである地紋や模様、文字等と、線画データに変換された利用者の像を合成することにより、よりセキュリティ性に富んだ印刷物を提供することができる。特に、画像用線画データとして変換された証明写真は、そのセキュリティ印刷物（例．身分証明書）の真正な所有者の写真を剥がして悪用者の写真を貼り付けて変造するようなことはできないから、真偽判別効果及びセキュリティ効果が向上する。
【００５２】
（２）印刷物構成用線画データ記憶部内に線画データとして記憶された複数種類の地紋、模様、文字、番号等から、利用者が、その利用目的や好みに応じて適宜選択して所望の地紋を付した所望のフォーム、デザインのセキュリティ印刷物を作成することができるから、利用者は独自性を有する各種のセキュリティ印刷物を発行することができる。
【００５３】
（３）線画データである地紋、模様、文字、番号に色要素を導入するすることにより、年、月毎に自動的に異なる色の地紋等を付与することができ、あるいは、利用者の好みに応じた色の地紋を付したセキュリティ印刷物を提供することができる。
【００５４】
（４）本発明に係るセキュリティ印刷物配信システムによれば、インターネット等を利用することにより、きわめて高度な偽造防止技術を採用しセキュリティ性に富んだ各種の印刷物を、きわめて簡便かつ低コストで提供することができるから、小規模事業者、自治体、各種の会員組織であっても、有価証券、ゴルフ会員権、証書、身分証明書、会員証、通行証、入場券等いろいろな分野に利用することが可能となる。
【００５５】
（５）本発明に係るセキュリティ印刷物配信システムを利用して、印刷物を作成するに際して、利用者は線画データである地紋、模様、文字、番号、画像用線画データ、さらには色要素等適宜選択するに際して、選択し付加したセキュリティ要素毎に料金計算される課金するシステム（課金システム）を採用したので、配信サーバ側としては工夫して作成したセキュリティ要素についての付加価値を高めることができ、料金を利用者から合理的に徴収することができ、一方利用者は料金が透明であるから安心して利用することができる。
【図面の簡単な説明】
【図１】本発明に係るセキュリティ印刷物配信システムの実施例１の全体構成を示す図である。
【図２】線画データとして表現された地紋の例を示す。
【図３】本発明に係るセキュリティ印刷物配信システムの実施例２の全体構成を示す図である。
【符号の説明】
１    配信サーバ
２ 通信回線
３ 発行端末装置
４ 入出力部
５ 画像情報登録部
６ 写真・線画変換部
７ 画像用線画データ記憶部
８ 発行配信部
９ メニュー記憶部
１０ フォームデータ記憶部
１１ 印刷物構成用線画データ記憶部
１２ データ合成部
１３ 地紋
【図１】
0004340742.tif 000002
【図２】
0004340742.tif 000003
【図３】
0004340742.tif 000004